(57)【特許請求の範囲】
【請求項１】
着座面を有する座体と、当該座体が取り付けられる脚部材と、を有する椅子における座体の取り付け構造であって、
前記座体における前記着座面の裏面に設けられ、ネジ穴を有する座体取付部と、
前記脚部材に設けられ、ネジの軸を挿入可能な貫通孔が形成された脚取付部と、
前記座体取付部と前記脚取付部とを接触させた状態で、前記貫通孔に挿入されて前記ネジ穴に螺合して前記座体取付部と前記脚取付部とを固定するネジと、を備え、
前記座体取付部は、前記ネジ穴が形成された第１の領域と、当該第１の領域と溝によって間隔が空けられた第２の領域と、において前記脚取付部と接触する
ことを特徴とする座体の取り付け構造。
【請求項２】
前記第１の領域と前記第２の領域は、同一平面上に形成されている
ことを特徴とする請求項１に記載の座体の取り付け構造。
【請求項３】
前記座体取付部は、前記座体の裏面に設けられたリブであって、
前記第１の領域および前記第２の領域は、当該リブに形成された前記着座面に沿った平面上に形成されている
ことを特徴とする請求項１または請求項２に記載の座体の取り付け構造。
【請求項４】
前記脚取付部は、前記座体取付部と前記脚取付部とが固定された状態において、前記リブの側面と接触する接触面を備える
ことを特徴とする請求項３に記載の座体の取り付け構造。
【請求項５】
前記第１の領域は、前記接触面と間隔を空けた位置において前記脚取付部と接触する
ことを特徴とする請求項４に記載の座体の取り付け構造。
【請求項６】
前記座体は、前記着座面がメッシュで構成されている
ことを特徴とする請求項１から請求項５のいずれか１項に記載の座体の取り付け構造。
【発明の詳細な説明】
【技術分野】
【０００１】
本発明は、椅子の座体の取り付け構造に関する。
【背景技術】
【０００２】
従来、着座面を有する座体と、座体を支持する脚部材と、を備える椅子において、座体を脚部材に乗せてネジで固定するものがある（例えば、特許文献１参照）。
特許文献１の椅子では、図２などに示されるように、脚フレーム６（脚部材）の取付部１５からネジを挿入して支持部材３をネジ止めすることで着座面である膜状部材２が脚フレーム６に取り付けられる。
【０００３】
ネジ穴を形成する部分は、周囲よりも肉厚なボス形状となっていることが多い。ボス形状として形成された座体の一例を図１１，図１２に示す。各図（Ａ）は座体１０１の裏面を示し、（Ｂ）はネジ穴上の断面図を示す。また（Ｃ）は脚部材（爪金１１１）とネジ３５で固定したときの模式的な側面図を示す。
【０００４】
図１１は、ネジ穴１０３の周囲のみボス１０７となっている構成を示している。また、図１２は、着座面１０５を取り囲むようにリブ１０９が形成されており、そのリブ１０９上にネジ穴１０３が形成される構成を示している。なお、着座面１０５は、メッシュ（図１１，１２各図において左側）や樹脂板（同図右側）など、様々なものを用いることができる。
【先行技術文献】
【特許文献】
【０００５】
【特許文献１】特開２００１−２２４４６１号公報
【発明の概要】
【発明が解決しようとする課題】
【０００６】
ネジ穴が形成されている部分が図１１に示すようなボス形状（ボス１０７）である場合、使用者が着座するなどして座体に加えられた衝撃や振動はボス１０７に伝わる。このボス１０７は、図１２（Ｃ）のようにリブ１０９が爪金１１１に広く接触しているものと比較すると応力がボス１０７に集中する。ボス１０７が変形するとネジ３５が緩みやすくなり、長期間の使用によってネジ３５が脱落してしまう虞がある。
【０００７】
一方、ネジ穴が形成されている部分が図１２に示すようなリブ形状（リブ１０９）である場合、加えられた衝撃や振動は爪金１１１の広い範囲で受けることができるため、リブ１０９の歪みが小さくなる結果、図１１のようにボス１０７を有する構成と比較するとネジの緩みの発生は抑制される。しかしながら反対に、リブ１０９の柔軟性が欠けることとなるため、衝撃や振動をリブ１０９で吸収できない結果、ネジ３５の首や頭の部分（領域３５ａ）に応力が集中してしまい、ネジ３５の頭が破断しやすくなる。
【０００８】
つまり、従来の取り付け構造では、椅子の使用に伴う衝撃や振動によってネジが緩んだり破断してしまい、長期の使用において取り付け状態を良好に維持することが困難であった。
【０００９】
本発明は、上述した問題に鑑みてなされたものであり、その目的は、ネジの緩みや破断を抑制することができる座体の取り付け構造を提供することである。
【課題を解決するための手段】
【００１０】
上述した問題を解決するためになされた請求項１に記載の発明は、着座面を有する座体と、当該座体が取り付けられる脚部材と、を有する椅子における座体の取り付け構造であって、前記座体における前記着座面の裏面に設けられ、ネジ穴を有する座体取付部と、前記脚部材に設けられ、ネジの軸を挿入可能な貫通孔が形成された脚取付部と、前記座体取付部と前記脚取付部とを接触させた状態で、前記貫通孔に挿入されて前記ネジ穴に螺合して前記座体取付部と前記脚取付部とを固定するネジと、を備える。
【００１１】
そして、前記座体取付部は、前記ネジ穴が形成された第１の領域と、当該第１の領域と溝によって間隔が空けられた第２の領域と、において前記脚取付部と接触することを特徴とする。
【００１２】
このように構成された座体の取り付け構造であれば、座体と脚部材との接触は、第１の領域と第２の領域とにおいて行われる。それによって、椅子の使用に伴うネジの緩みとネジの破断とを抑制できる。
【００１３】
なぜならば、第１の領域は溝によって第２の領域と間隔が空けられているため、第１の領域と第２の領域とが繋がっている構造と比較して、第１の領域周辺は高い柔軟性が保たれる。その結果、座体に荷重が加えられてもネジに応力が集中することを抑制でき、ネジの破断を抑制できる。また、第２の領域でも脚取付部に接触しているので、座体取付部全体としては第１の領域のみで接触する場合と比較して歪みにくさが向上する。その結果、ネジが緩みにくくなる。さらに、第２の領域も第１の領域と溝によって間隔が空けられていることから、第１の領域と第２の領域とが繋がっている構造と比較すると第２の領域周辺の柔軟性が高くなり、ネジの破断の抑制に繋がる。
【００１４】
このように、本発明の座体の取り付け構造では、ネジの緩みとネジの破断とを同時に抑制することができ、長期の使用でも取り付け状態を良好に維持することができる。
なお、上述した第２の領域は１箇所でなくともよく、複数箇所に分散していてもよい。
【００１５】
請求項２に記載の発明は、請求項１に記載の座体の取り付け構造において、前記第１の領域と前記第２の領域が、同一平面上に形成されていることを特徴とする。
このように構成された座体の取り付け構造であれば、第１の領域および第２の領域と、脚取付部と、の接触状態を良好にし、ネジの緩みや破断の抑制効果を高くすることができる。
【００１６】
仮に第１の領域と第２の領域とが同一平面上に形成されていない、即ちそれらの高さが相違する場合、脚取付部において第１の領域や第２の領域と接触する領域も、それぞれの高さに合わせた段差を設ける必要がある。このとき、第１の領域と第２の領域との高さの差と、脚取付部の段差と、に大きな誤差が生じると、いずれか一方が良好に接触しなくなってしまう。両方とも良好に接触させるためには、誤差を小さくするため座取付部と脚取付部とを非常に高い精度で形成する必要が生じる。
【００１７】
一方、請求項２のような構成の場合、脚取付部側はフラットにすればよいので、高さを変える場合と比較して上述した誤差を容易に小さくすることができる。その結果、第１の領域および第２の領域と、脚取付部と、の接触状態が良好になる。
【００１８】
さらに、脚取付部をフラットに構成する場合、精度よく段差を構成する場合と比較して、製造コストを低減することができる。
請求項３に記載の発明は、請求項１または請求項２に記載の座体の取り付け構造において、前記座体取付部が、前記座体の裏面に設けられたリブであって、前記第１の領域および前記第２の領域が、当該リブに形成された前記着座面に沿った平面上に形成されていることを特徴とする。
【００１９】
このように構成された座体の取り付け構造であれば、座体を補強するリブを使用して、本発明の座体の取り付け構造を実現することができるため、座体取付部として別途部材を設ける必要がなくなる。着座面は着座時の身体形状に合わせた曲面となっている場合もあるが、その場合でも着座面全体としては平面とみなすことができるため、その面を基準とすればよい。なお、上述した着座面に沿った平面とは、着座面と平行な面である必要はなく、角度を有していてもよい。
【００２０】
請求項４に記載の発明は、請求項３に記載の座体の取り付け構造において、前記脚取付部が、前記座体取付部と前記脚取付部とが固定された状態において、前記リブの側面と接触する接触面を備えることを特徴とする。
【００２１】
このように構成された座体の取り付け構造であれば、リブの側面を接触面で支持するため、着座時など座体に荷重が加えられたときにリブに生じる歪みを低減することができる。
【００２２】
請求項５に記載の発明は、請求項４に記載の座体の取り付け構造において、前記第１の領域が、前記接触面と間隔を空けた位置において前記脚取付部と接触することを特徴とする。
【００２３】
このように構成された座体の取り付け構造であれば、接触面と第１の領域が接触しないので、第１の領域周辺の柔軟性を高く維持することができる。なお、第１の領域周辺の柔軟性を低くし、歪み耐性を高くしたいときには、上述したものとは逆に接触面と第１の領域とが接触するように構成してもよい。
【００２４】
請求項６に記載の発明は、請求項１から請求項５のいずれか１項に記載の座体の取り付け構造において、前記座体の前記着座面がメッシュで構成されていることを特徴とする。
着座面がメッシュで構成されている場合、メッシュは座体の外縁部によって所定の張力を持って保持される。座体取付部はこの外縁部に設けられる。
【００２５】
メッシュ自体は、その他の材質（樹脂、木、金属）などと比べて容易に変形するので、メッシュに荷重が加わると、メッシュは下方向に押される。よって、図１３に示すように、外縁部は下方向（矢印方向）に引っ張られることとなり、外縁部に捻りが加えられて歪みが生じやすくなる。つまり、メッシュを用いた椅子は、ネジの緩みや破断が発生しやすい。
【００２６】
しかしながら、本発明の座体の取り付け構造を用いることで、着座面がメッシュであってもネジの緩みや破断を抑制することができ、長期の使用でも取り付け状態が良好に維持される椅子を得ることができる。
【図面の簡単な説明】
【００２７】
【図１】実施例の椅子を示す分解斜視図
【図２】座体の裏面を示す図（Ａ）および図２（Ａ）のＡ−Ａ断面図（Ｂ）
【図３】爪金およびネジ取付部の周辺の拡大斜視図
【図４】爪金およびネジ取付部の周辺の平面図（Ａ）および図４（Ａ）のＢ−Ｂ断面図（Ｂ）
【図５】図４（Ａ）の矢印Ｃ方向から見たネジ取付部の周辺の断面図
【図６】変形例の座体裏面を示す図（Ａ）および図６（Ａ）のＡ−Ａ断面図（Ｂ）
【図７】変形例の爪金周辺の拡大斜視図
【図８】変形例の爪金およびネジ取付部の周辺の平面図（Ａ），（Ｃ）および図８（Ａ）の断面図（Ｂ）
【図９】変形例のネジ取付部周辺の平面図（Ａ），（Ｂ）
【図１０】変形例のネジ取付部周辺の断面図
【図１１】従来の座体の裏面を示す図（Ａ）、ネジ穴上の断面図（Ｂ），およびネジで固定したときの模式的な側面図（Ｃ）
【図１２】従来の座体の裏面を示す図（Ａ）、ネジ穴上の断面図（Ｂ），およびネジで固定したときの模式的な側面図（Ｃ）
【図１３】着座面にメッシュを用いたときに荷重が加わる方向を説明する図
【発明を実施するための形態】
【００２８】
以下に本発明の実施形態を図面と共に説明する。ただし、以下に説明する実施形態は、あくまでも例示にすぎず、本発明が、下記の事例以外にも様々な形態で実施できるのはもちろんである。
【００２９】
［実施例］
本実施例の椅子１は、図１に示すように、使用者が着席する着座面１１ａを有する樹脂製の座体１１と、背もたれ１３と、座体１１および背もたれ１３を支持する金属製の脚部材１５と、を備えている。
【００３０】
脚部材１５は、着席者から見て左側に配置される左フレーム２１と、右側に配置される右フレーム２３と、左フレーム２１と右フレーム２３とを連結する前架橋部２５および後架橋部２７と、からなる。
【００３１】
左フレーム２１は、金属製のパイプを曲げ加工して形成されるものであり、床面に接触する底部２９、座体１１を支持する支持部３１などを有する。この支持部３１は、前後方向に略水平に延びるように形成される。左フレーム２１の支持部３１には右フレーム２３側（内側）に延びる平板状の爪金３３（本発明における脚取付部の一例）が前後方向に間隔を空けた２箇所に形成されている。爪金３３には、ネジ３５が挿入可能な貫通孔３３ａが形成されている。
【００３２】
なお、右フレーム２３は、左フレーム２１と左右対称の形状となっており、右フレーム２３の爪金３３は、左フレーム２１側に延びている。
また、後架橋部２７には、上述した爪金３３と同様の爪金３３が、左右方向に間隔を空けた２箇所にて前方に延びるように形成されている。
【００３３】
座体１１の着座面の裏面を図２（Ａ）に示す。また、図２（Ａ）におけるＡ−Ａ断面を図２（Ｂ）に示す。
座体１１の外縁には、下方向に垂れ下がるように拡がる側板４１が形成されている。また、座体１１の外縁から間隔を空けた内側には、側板４１と沿うようにリブ４３が形成されている。左右および後方の側板４１とリブ４３との間隔は、支持部３１および後架橋部２７の幅と略等しくなるように形成されており、座体１１を脚部材１５に取り付ける際には、側板４１とリブ４３との間隙に支持部３１または後架橋部２７が挿入される。
【００３４】
リブ４３は、座体１１から延び出した先端が座体１１の主たる面と略平行である平面状となるように（即ち、着座面１１ａに沿った平面状となるように）形成されている。リブ４３には、座体１１の主たる面と交差する方向に開けられたネジ穴４５が、脚部材１５の６箇所の爪金３３の貫通孔３３ａと対応する位置に形成されている。左フレーム２１および右フレーム２３の爪金３３に対応するネジ穴４５の周囲には、ネジ穴４５を中心とした円周状に溝部４７が形成されており、その溝部４７によって、ネジ穴４５を取り囲む円柱状のネジ取付部４９がリブ４３におけるその周囲の部分と区切られる。
【００３５】
図３は爪金３３およびネジ取付部４９の周辺の拡大斜視図であるが、理解を容易にするために、座体１１におけるネジ取付部４９とリブ４３以外の部分は透視した状態となっている。座体１１を脚部材１５に取り付ける際には、リブ４３を爪金３３に接触させた状態で爪金３３の下方向からネジ３５を貫通孔３３ａに挿入してネジ穴４５に螺合させ、リブ４３と爪金３３とを固定する。
【００３６】
座体１１を脚部材１５に取り付けた状態における爪金３３の周辺の拡大図を図４（Ａ），（Ｂ）に示す。図４（Ａ）は平面図であって、図３同様に座体１１におけるネジ取付部４９とリブ４３以外の部分は透視した状態となっている。また図４（Ｂ）は図４（Ａ）のＢ−Ｂ断面図であるが、本図では座体１１の着座面や側板４１を透視せずに示している。
【００３７】
図４（Ａ）に示すように、爪金３３には、溝部４７の部分を除き、リブ４３における溝部４７の周辺に位置する周辺部５１と、ネジ取付部４９と、が、先端面（座体１１から延び出した先の面）において当接している（図４（Ａ）における斜線領域にて接触している）。なお、リブ４３におけるネジ取付部４９と周辺部５１とが本発明における座体取付部の一例である。また、ネジ取付部４９の先端面が本発明における第１の領域の一例であり、周辺部５１の先端面が本発明における第２の領域の一例である。ネジ取付部４９の先端面と周辺部５１の先端面とは同一平面となる。
【００３８】
このような座体１１の取り付け構造を有する椅子１は、座体１１の左右のネジ穴４５に螺合されたネジ３５の頭部が破断したり、ネジ３５が緩んだりすることが抑制されるため、座体１１と脚部材１５との取り付け状態を長期間に亘って良好に維持することができる。その理由を、図５を用いて説明する。図５は、図４（Ａ）の矢印Ｃ方向から見たネジ取付部４９の周辺の拡大図（断面図）である。
【００３９】
爪金３３にはネジ取付部４９の先端が接触しており、周辺部５１の先端部５１ａも接触している。先端部５１ａが接触していることにより、座体１１に使用者が着座するなどしてリブ４３に振動や衝撃などの力が加わったときに、それらによるリブ４３の歪みが抑制される。その結果、ネジ３５がネジ穴４５に対して緩んでしまうことが抑制できる。また、リブ４３が歪むとネジ３５に応力が加わるが、ネジ取付部４９が変形してネジ３５に応力が集中することを低減できるため、ネジ３５の首や頭部が破断するなど、ネジ３５自体が破損することが抑制される。
【００４０】
一方、ネジ取付部（ボス１０７）のみを有する従来の取り付け構造を模式的に示したものが図１１（Ｃ）である。この構造では、着座面に力が加わると、ボス１０７が変形してネジ３５への応力集中を抑制するためネジ３５の頭部などが破損することは抑制できるが、爪金１１１に接触する部分が少ないためボス１０７の変形が大きくなる。そのため、長期間の使用によってネジ３５が緩みやすくなり、ネジ３５がネジ穴から脱落してしまう。
【００４１】
また、リブ１０９全体が爪金１１１に接触する従来の取り付け構造を模式的に示したものが図１２（Ｃ）である。この構造では、リブ１０９に荷重が加わっても歪みが発生しにくく、ネジ３５の緩みは発生しにくい。しかしながら、リブ１０９の柔軟性が欠けるため、リブ１０９が歪むことによる応力が、特にネジ頭近傍の領域３５ａに強く加わり、ネジ３５が破損してしまう。
【００４２】
即ち、本実施例の取り付け構造では、ネジが緩むことと、ネジが破損してしまうことと、の両方の抑制を達成できる。
なお、溝部４７の深さ、ネジ取付部４９の大きさ（径方向の大きさ）などによって柔軟性や歪み耐性などを調整することができる。
【００４３】
［変形例］
上記実施例においては、座体１１全体が樹脂製である構成を例示したが、図６に示す座体６１のように、着座面６３はメッシュで形成されていてもよい。メッシュを用いる場合、メッシュを保持する外縁部（図６における着座面６３以外の部分）には着座できないので、着座可能な面積を大きくするために外縁部を細く形成する必要がある。その結果リブや爪金も狭くなり、着座時に歪みが生じやすくなる。また、メッシュに荷重が加わると、メッシュは下方向に押される。よって、図１３に示すように、外縁部は下方向（矢印方向）に引っ張られることとなり、外縁部に捻りが加えられ、それによっても歪みが生じやすくなる。
【００４４】
即ち、着座面にメッシュを用いると非常に歪みが発生しやすく、ネジの脱落やネジの破損が容易に発生する。つまり、座体の着座面にメッシュを用いる椅子に本発明の座体の取り付け構造を用いることで、ネジの緩みや破断を抑制することができ、長期の使用でも取り付け状態を良好に維持できる。
【００４５】
なお、座体１１は、リブ（ネジ取付部およびその周辺部）に相当する部分が樹脂で形成されていれば、それ以外の部分は上記メッシュを含め様々な材質のものを用いることができる。例えば、金属や木によって着座面を構成してもよいし、クッションなどを組み合わせてもよい。
【００４６】
また、上記実施例においては、爪金３３は平板である構成を例示したが、図７に示すように、先端に縦板部３３ｂが形成されていても良い。縦板部３３ｂがリブ４３の側面と接触することで、リブ４３の歪みをより抑制することができる。なお、縦板部３３ｂが本発明における接触面の一例である。
【００４７】
その場合、図８（Ａ），（Ｂ）に示すように、ネジ取付部４９を縦板部３３ｂと接触させるように構成してもよいし、図８（Ｃ）に示すように、ネジ取付部４９を縦板部３３ｂと接触させないように構成してもよい。ネジ取付部４９を縦板部３３ｂと接触させることで、歪みの抑制効果は増大する。一方、接触させないことで、ネジ取付部４９の柔軟性が維持される。よって、接触させるか否かは目的に合せて適宜設計することができる。
【００４８】
また、ネジ取付部４９の形状は上記実施例の構成に限定されず、様々なものとすることができる。例えば、図９（Ａ）に示すように、ネジ取付部６５の周囲をリブ４３が取り囲むような形状であってもよいし、図９（Ｂ）に示すようにネジ取付部６７が略矩形であってもよい。
【００４９】
また、爪金は段差（溝）の形成された板であってもよい。例えば、図１０に示すように、ネジ取付部６９の高さを周囲のリブ４３の高さと異ならせておき、爪金７１はネジ取付部６９に対応する領域と周囲のリブ４３に対応する領域との高さを変化させることが考えられる。
【００５０】
また、上記実施例においては、リブが爪金に接触する構成を例示したが、リブが形成されていなくてもよい。つまり、樹脂板そのものにネジ取付部が設けられていてもよい。
また、上記実施例においては、ネジ取付部４９および周辺部５１の先端面（爪金３３と接触する面）は着座面１１ａに沿って設けられている構成を例示したが、ネジ取付部および周辺部は着座面１１ａと角度を有するように設けられていてもよい。その場合には、爪金もネジ取付部や周辺部に合せて左右フレームに取り付ける角度を調整するとよい。
【符号の説明】
【００５１】
１…椅子、１１…座体、１１ａ…着座面、１５…脚部材、２１…左フレーム、２３…右フレーム、２５…前架橋部、２７…後架橋部、２９…底部、３１…支持部、３３…爪金、３３ａ…貫通孔、３３ｂ…縦板部、３５…ネジ、３５ａ…領域、４１…側板、４３…リブ、４５…ネジ穴、４７…溝部、４９…ネジ取付部、５１…周辺部、５１ａ…先端部、６１…座体、６３…着座面、６５…ネジ取付部、６７…ネジ取付部、６９…ネジ取付部、７１…爪金、１０１…座体、１０３…ネジ穴、１０５…着座面、１０７…ボス、１０９…リブ、１１１…爪金
【図１】
0005592232.tif 000002
【図２】
0005592232.tif 000003
【図３】
0005592232.tif 000004
【図４】
0005592232.tif 000005
【図５】
0005592232.tif 000006
【図６】
0005592232.tif 000007
【図７】
0005592232.tif 000008
【図８】
0005592232.tif 000009
【図９】
0005592232.tif 000010
【図１０】
0005592232.tif 000011
【図１１】
0005592232.tif 000012
【図１２】
0005592232.tif 000013
【図１３】
0005592232.tif 000014